(57)【要約】【課題】滑りコマ数に応じてフリーズ時間が変化する遊技機を提供する。【解決手段】遊技機は、ストップスイッチ34の操作から対応する回転リール45の回転停止までの間に特定の入賞ラインを通過する図柄の数である滑りコマ数を抽出するための滑りコマ数抽出手段140と、遊技の進行に係るいずれかの操作を契機にその次に行われる操作を一定時間無効にする演出であるフリーズ演出を制御するためのものであって滑りコマ数抽出手段140が抽出した滑りコマ数に基づいて操作を無効にする時間を決定するフリーズ演出制御手段150とを備える。【選択図】図１
2010253086.tif 000002
【特許請求の範囲】
【請求項１】
周囲に複数の図柄が付されている複数の回転リールと、
各回転リールの回転を開始させるためのスタートスイッチと、
各回転リールの回転を停止させるためのものであって各回転リールにそれぞれ対応して設けられているストップスイッチと、
スタートスイッチの操作を契機に複数の役のいずれかに当選か又はハズレかの抽選を行うための役抽選手段と、
役抽選手段の抽選結果と各ストップスイッチが操作された際における対応する回転リールの回転位置とに基づいて各回転リールの停止制御を行うための停止制御手段と、
すべての回転リールの回転が停止した際における入賞ライン上の図柄の組み合わせに基づいて複数の役のいずれかに入賞か又は入賞なしかの判定を行うための入賞判定手段と、
ストップスイッチの操作から対応する回転リールの回転停止までの間に特定の入賞ラインを通過する図柄の数である滑りコマ数を抽出するための滑りコマ数抽出手段と、
遊技の進行に係るいずれかの操作を契機にその次に行われる操作を一定時間無効にする演出であるフリーズ演出を制御するためのものであって滑りコマ数抽出手段が抽出した滑りコマ数に基づいて操作を無効にする時間を決定するフリーズ演出制御手段とを備えていることを特徴とする遊技機。
【請求項２】
遊技機は、役抽選手段による抽選で当選した役に対応する図柄を報知するための図柄報知手段を備え、
滑りコマ数抽出手段は、図柄報知手段による報知が行われたときに滑りコマ数の抽出を行うように形成され、
フリーズ演出制御手段は、操作を無効にする時間を滑りコマ数に応じて定めたフリーズ時間テーブルと、滑りコマ数抽出手段により抽出された滑りコマ数とフリーズ時間テーブルとを照合して操作を無効にする時間を決定するためのフリーズ時間決定手段とを備え、
フリーズ時間テーブルは、滑りコマ数が大きくなるに従って操作を無効にする時間が長くなるように、これらの関係を定めていることを特徴とする請求項１記載の遊技機。
【請求項３】
遊技機は、役抽選手段による抽選で当選した役に対応する図柄を報知するための図柄報知手段を備え、
滑りコマ数抽出手段は、図柄報知手段による報知が行われたときに滑りコマ数の抽出を行うように形成され、
フリーズ演出制御手段は、操作を無効にする時間を滑りコマ数に応じて定めたフリーズ時間テーブルと、滑りコマ数抽出手段により抽出された滑りコマ数とフリーズ時間テーブルとを照合して操作を無効にする時間を決定するためのフリーズ時間決定手段とを備え、
フリーズ時間テーブルは、滑りコマ数が小さくなるに従って操作を無効にする時間が長くなるように、これらの関係を定めていることを特徴とする請求項１記載の遊技機。
【発明の詳細な説明】
【技術分野】
【０００１】
本発明は、遊技機に関し、さらに詳しくは、遊技の進行に係る操作を一時的に無効にするフリーズ演出が行われる遊技機に関する。
【背景技術】
【０００２】
従来から、スロットマシンなどの遊技機では、フリーズ演出などと呼ばれる演出態様が知られている。このフリーズ演出は、例えば、スタートスイッチやストップスイッチなどの操作を一時的に無効にすることにより、スタートスイッチを操作しても回転リールの回転が開始しなかったり、あるいはストップスイッチを操作しても回転リールの回転が停止しなかったりするようにして、役抽選の結果などの報知を行うものである。
なお、下記の特許文献１には、回転リールの回転開始からストップスイッチの操作が有効になるまでの時間を、抽選結果に基づいて変化させることにより、抽選結果の報知を行う遊技機が開示されている。
【０００３】
また、下記の特許文献２には、遊技状態の切替制御を契機に、ゲームの進行を中断させるとともに、ゲームの進行の中断から所定時間経過を契機に、ゲームの進行を再開させることにより、遊技状態の変化の報知を行う遊技機が開示されている。
また、下記の特許文献３には、内部抽選で当選して役の入賞が可能な状態になったことを契機に、停止ボタンの操作を一時的に不能にし、停止ボタンの操作が所定回数に達すると、フリーズ演出を解除して、停止ボタンの操作を有効にする遊技機が開示されている。
また、下記の特許文献４には、移動図柄数（滑りコマ数）の合計を算出し、これに基づいて所定の演出を行う遊技機が開示されている。
【０００４】
また、下記の特許文献５には、滑りコマ数の総和を算出し、これに基づいて報知手段による所定の当選役の報知回数を変更する遊技機が開示されている。
【先行技術文献】
【特許文献】
【０００５】
【特許文献１】特開２００１−１９０７３９号公報
【特許文献２】特開２００５−１０３０９５号公報
【特許文献３】特開２００６−０２０７９１号公報
【特許文献４】特開２００２−３３６４２０号公報
【特許文献５】特開２００８−１６１３８６号公報
【発明の概要】
【発明が解決しようとする課題】
【０００６】
しかし、従来の遊技機では、中断から所定時間経過や停止ボタンの操作が所定回数に達したことなどを契機に、一時的に無効にした操作を有効にするようにしていた。このため、操作が一時的に無効にされてから有効になるまでの時間に変化が乏しかった。
そこで、本発明は、ストップスイッチの操作から対応する回転リールの回転停止までの間に特定の入賞ラインを通過する図柄の数である滑りコマ数を抽出し、抽出した滑りコマ数に基づいて、フリーズ演出における操作を無効にする時間（フリーズ時間）を決定することにより、フリーズ時間が滑りコマ数に応じて変化するようにして、フリーズ演出が単調にならなようにした遊技機を提供することを目的とする。
【課題を解決するための手段】
【０００７】
（請求項１）
請求項１記載の発明は、遊技機に係るものであって、周囲に複数の図柄が付されている複数の回転リール45と、各回転リール45の回転を開始させるためのスタートスイッチ33と、各回転リール45の回転を停止させるためのものであって各回転リール45にそれぞれ対応して設けられているストップスイッチ34と、スタートスイッチ33の操作を契機に複数の役のいずれかに当選か又はハズレかの抽選を行うための役抽選手段110と、役抽選手段110の抽選結果と各ストップスイッチ34が操作された際における対応する回転リール45の回転位置とに基づいて各回転リール45の停止制御を行うための停止制御手段130と、すべての回転リール45の回転が停止した際における入賞ライン上の図柄の組み合わせに基づいて複数の役のいずれかに入賞か又は入賞なしかの判定を行うための入賞判定手段120と、ストップスイッチ34の操作から対応する回転リール45の回転停止までの間に特定の入賞ラインを通過する図柄の数である滑りコマ数を抽出するための滑りコマ数抽出手段140と、遊技の進行に係るいずれかの操作を契機にその次に行われる操作を一定時間無効にする演出であるフリーズ演出を制御するためのものであって滑りコマ数抽出手段140が抽出した滑りコマ数に基づいて操作を無効にする時間を決定するフリーズ演出制御手段150とを備えていることを特徴とする。
【０００８】
（請求項２）
請求項２記載の発明は、請求項１記載の発明を限定したものであって、遊技機は、役抽選手段110による抽選で当選した役に対応する図柄を報知するための図柄報知手段160を備え、滑りコマ数抽出手段140は、図柄報知手段160による報知が行われたときに滑りコマ数の抽出を行うように形成され、フリーズ演出制御手段150は、操作を無効にする時間を滑りコマ数に応じて定めたフリーズ時間テーブル151と、滑りコマ数抽出手段140により抽出された滑りコマ数とフリーズ時間テーブル151とを照合して操作を無効にする時間を決定するためのフリーズ時間決定手段152とを備え、フリーズ時間テーブル151は、滑りコマ数が大きくなるに従って操作を無効にする時間が長くなるように、これらの関係を定めていることを特徴とする。
【０００９】
（請求項３）
請求項３記載の発明は、請求項１記載の発明を限定したものであって、遊技機は、役抽選手段110による抽選で当選した役に対応する図柄を報知するための図柄報知手段160を備え、滑りコマ数抽出手段140は、図柄報知手段160による報知が行われたときに滑りコマ数の抽出を行うように形成され、フリーズ演出制御手段150は、操作を無効にする時間を滑りコマ数に応じて定めたフリーズ時間テーブル151と、滑りコマ数抽出手段140により抽出された滑りコマ数とフリーズ時間テーブル151とを照合して操作を無効にする時間を決定するためのフリーズ時間決定手段152とを備え、フリーズ時間テーブル151は、滑りコマ数が小さくなるに従って操作を無効にする時間が長くなるように、これらの関係を定めていることを特徴とする。
【００１０】
ここで、「滑りコマ数」とは、ストップスイッチ34の操作から対応する回転リール45の回転停止までの間に特定の入賞ラインを通過する図柄の数をいう。
また、「滑りコマ数抽出手段140」は、例えば、ストップスイッチ34の操作から対応する回転リール45の回転停止までの間における対応するステッピングモータのステップ数をカウントし、このカウントしたステップ数を滑りコマ数に換算することができる。
また、例えば、各ストップスイッチ34が操作されたときの対応する回転リール45の回転位置に応じて各回転リール45の滑りコマ数をあらかじめ定めた停止テーブルを複数備え、停止制御手段130は、役抽選手段110の抽選結果等に基づいて、複数の中から一の停止テーブルを選択し、選択した停止テーブルと、各ストップスイッチ34が操作されたときの対応する回転リール45の回転位置とに基づいて、各回転リール45の滑りコマ数を決定し、決定した滑りコマ数の分だけ回転リール45を回転させ、そこで回転リール45の回転を停止させる場合にあっては、滑りコマ数抽出手段140は、停止制御手段により選択された停止テーブルと、各ストップスイッチ34が操作されたときの対応する回転リール45の回転位置とから、滑りコマ数を抽出するように形成することができる。なお、このような回転リール45の停止制御は、停止テーブルを用いた制御であることから、テーブル制御などと呼ばれる。
【００１１】
また、「滑りコマ数抽出手段140」は、複数の回転リール45のうち、左リール46や中リール47や右リール48など、特定の回転リール45の滑りコマ数のみを抽出するようにしてもよく、また、対応するストップスイッチ34が最初に操作された回転リール45（最初に停止操作が行われた回転リール45）の滑りコマ数のみを抽出するようにしてもよく、また、対応するストップスイッチ34が最後に操作された回転リール45（最後に停止操作が行われた回転リール45）の滑りコマ数のみを抽出するようにしてもよく、また、各回転リール45の滑りコマ数をそれぞれ抽出するようにしてもよい。
また、「遊技の進行に係る操作」としては、遊技媒体の投入操作、スタートスイッチ33の操作、およびストップスイッチ34の操作がある。これらは、「遊技媒体の投入操作」→「スタートスイッチ33の操作」→「ストップスイッチ34の操作」の順に行われる。
【００１２】
また、「フリーズ演出」は、遊技の進行に係るいずれかの操作を契機に、その次に行われる操作を一定時間無効にする演出である。フリーズ演出の態様としては、例えば、遊技媒体の投入操作を契機に、その次に行われるスタートスイッチ33の操作を一定時間無効にするものや、スタートスイッチ33の操作を契機に、その次に行われるストップスイッチ34の操作を一定時間無効にするものや、ストップスイッチ34の操作を契機に、その次に行われる遊技媒体の投入操作を一定時間無効にするものなどがある。
また、「一定時間無効にする」とは、遊技の進行に係る操作を受け付けないようにすることのみならず、遊技の進行に係る操作を受け付けるものの、一定時間経過後に受け付けた操作を処理に反映させることを含むものである。例えば、フリーズ演出中にスタートスイッチ33が操作されてもこれを受け付けず、フリーズ演出終了後に再度スタートスイッチ33が操作されると、これを受け付けて各回転リール45の回転を開始させるようにしてもよく、また、フリーズ演出中にスタートスイッチ33が操作されると、これを受け付けるものの、各回転リール45の回転を開始させず、フリーズ演出終了後に、再度のスタートスイッチ33の操作を要することなく、各回転リール45の回転を開始させるようにしてもよい。
【００１３】
また、「フリーズ演出制御手段150」は、滑りコマ数抽出手段140が抽出した滑りコマ数に基づいて、フリーズ演出における操作無効時間を決定するものであるが、滑りコマ数抽出手段140が各回転リール45の滑りコマ数をそれぞれ抽出する場合には、各回転リール45の滑りコマ数を合算し、この合算値に基づいて、フリーズ演出における操作無効時間を決定するようにしてもよい。
【発明の効果】
【００１４】
本発明によれば、ストップスイッチの操作から対応する回転リールの回転停止までの間に特定の入賞ラインを通過する図柄の数である滑りコマ数を抽出し、抽出した滑りコマ数に基づいて、フリーズ演出における操作を無効にする時間（フリーズ時間）を決定することから、フリーズ時間が滑りコマ数に応じて変化するので、フリーズ演出が単調にならない遊技機を提供できる。
【図面の簡単な説明】
【００１５】
【図１】本発明の第１の実施の形態に係る遊技機のブロック図
【図２】本発明の第１の実施の形態に係る遊技機の正面図
【図３】本発明の第１の実施の形態に係る遊技機が備えるフリーズ時間テーブル
【図４】本発明の第１の実施の形態に係る遊技機の動作の概略を示すフローチャート
【図５】本発明の第２の実施の形態に係る遊技機が備えるフリーズ時間テーブル
【図６】本発明の第２の実施の形態に係る遊技機の動作の概略を示すフローチャート
【図７】本発明の他の実施の形態に係る遊技機が備えるフリーズ時間テーブル
【発明を実施するための形態】
【００１６】
（第１の実施の形態）
本発明の第１の実施の形態を、図１〜図４に基づいて説明する。
（遊技機10）
図２に示すように、遊技機10としてのスロットマシン10は、前面に開口部を有する箱型の筐体11を備え、筐体11の前面には、開口部を塞ぐ前扉12を備え、筐体11の内部には、３個の回転リール45を横並びに配置したリールユニット40や、スロットマシン10を制御するための制御装置20や、メダルを払い出すためのホッパーユニットや、スロットマシン10が備える各装置に電力を供給するための電源ユニットなどを備えている。
【００１７】
また、前扉12の上部には、上パネル13を備え、前扉12の下部には、下パネル14を備え、前扉12の前面における、上パネル13と下パネル14との間には、前方へ向けて突出する操作部16を備えている。
また、上パネル13のほぼ中央には、各回転リール45の周囲に付されている図柄を遊技者に見せるための図柄表示窓15が設けられている。この図柄表示窓15は、３個すべての回転リール45の回転が停止した際には、縦３列横３行に配置した合計９個の図柄を遊技者に見せるように形成されている。更に、上段の３個の図柄を通る上入賞ラインと、中段の３個の図柄を通る中入賞ラインと、下段の３個の図柄を通る下入賞ラインと、左下・中央・右上の３個の図柄を通る右上り入賞ラインと、左上・中央・右下の３個の図柄を通る右下り入賞ラインとが設けられている。
【００１８】
また、操作部16の上面右側には、メダルを投入するためのメダル投入口36が設けられ、操作部16の上面左側には、クレジットされているメダルをベットするためのベットスイッチ32が設けられ、操作部16の上面左端付近には、クレジットされているメダルを返却するための精算スイッチ35が設けられ、操作部16の前面左側には、各回転リール45の回転を開始させるためのスタートスイッチ33が設けられ、操作部16の前面中央には、各回転リール45の回転を停止させるためのものであって各回転リール45にそれぞれ対応している３個のストップスイッチ34が横並びに設けられている。
また、前扉12の下部中央には、メダルを払い出すためのメダル払出口37が設けられ、メダル払出口37の下方には、メダル払出口37から払い出されたメダルを受け止めて貯留するためのメダル受け皿38が設けられている。
【００１９】
（リールユニット40）
リールユニット40は、横並びに設けた３個の回転リール45と、各回転リール45を回転させるためのものであって各回転リール45にそれぞれ対応しているステッピングモータと、これらを支持するためのフレームとを備えている。
３個の回転リール45のうち、左側に位置するのが左リール46であり、中央に位置するのが中リール47であり、右側に位置するのが右リール48である。また、各回転リール45の周囲には、複数種類の図柄が所定の配列で合計２１個付されている。
また、各ステッピングモータの出力軸には、対応する回転リール45の回転軸がそれぞれ固定されている。具体的には、左側のステッピングモータの出力軸には、左リール46の回転軸が固定され、中央のステッピングモータの出力軸には、中リール47の回転軸が固定され、右側のステッピングモータの出力軸には、右リール48の回転軸が固定されている。
【００２０】
また、ステッピングモータは、パルス信号によって駆動するものであって、入力されるパルス信号のパターンによって、加速・定速・減速のパターンが決まる。そして、ステッピングモータが駆動すると、対応する回転リール45が回転軸を中心に回転する。
本実施の形態では、基本ステップ角１．４３度のステッピングモータを、１−２相励磁で制御している。このため、回転軸は、２回の励磁（２ステップ）で、１．４３度回転し、５０４回の励磁（５０４ステップ）で、３６０度回転する。つまり、各回転リール45を１回転させるには、５０４回の励磁（５０４ステップ）を必要とする。また、各回転リール45の周囲には２１個の図柄がほぼ等間隔で付されていることから、各回転リール45を図柄１個分回転させるには、２４回の励磁（２４ステップ）を必要とする。
【００２１】
また、各回転リール45の所定位置には、各回転リール45の回転に伴って移動する検知片がそれぞれ設けられている。具体的には、左リール46の所定位置には、左リール46の回転に伴って移動する、検知片としての左インデックスが設けられ、また、中リール47の所定位置には、中リール47の回転に伴って移動する、検知片としての中インデックスが設けられ、また、右リール48の所定位置には、右リール48の回転に伴って移動する、検知片としての右インデックスが設けられている。
また、フレームの所定位置には、各回転リール45に設けられた検知片が各回転リール45の回転に伴って通過するのを検知するための検知手段50が、各回転リール45にそれぞれ対応して設けられている。具体的には、フレームの所定位置には、左リール46の回転に伴う左インデックスの通過を検知するための検知手段50としての左センサー51と、中リール47の回転に伴う中インデックスの通過を検知するための検知手段50としての中センサー52と、右リール48の回転に伴う右インデックスの通過を検知するための検知手段50としての右センサー53とが、それぞれ設けられている。
【００２２】
また、左センサー51、中センサー52および右センサー53は、発光部と受光部とを有するフォトセンサーを用いて構成されている。以下、左リール46を例に説明する。左インデックスは、左リール46の回転に伴って、左センサー51の発光部と受光部との間を通過する。発光部から発せられた光は、常態では、受光部まで到達するが、左インデックスが左センサー51の発光部と受光部との間を通過する際には、受光部まで届かなくなる。そして、左センサー51の受光部に光が届かなくなると、検知信号が出力される。中リール47および右リール48についても同様である。
また、ストップスイッチ34が操作された際における対応する回転リール45の回転位置は、対応する検知手段50により検知片が検知されてから対応するストップスイッチ34が操作されるまでの間における対応するステッピングモータのステップ数で特定できる。
【００２３】
また、各ステッピングモータのステップ数は、１回の励磁（１ステップ）毎にカウント値を１ずつ加算していき、対応する検知手段50が検知片を検知する毎にカウント値を「０」にリセットするカウンタによってカウントできる。なお、５０４回の励磁（５０４ステップ）で回転リール45が１回転することから、リセットされる直前のカウント値は「５０３」である。
（制御装置20）
図１に示すように、制御装置20は、遊技の制御を行う遊技制御装置21と、遊技制御装置21からの信号を受信して演出の制御を行う演出制御装置22とを備えている。
【００２４】
また、遊技制御装置21は、メイン基板などとも呼ばれるものであって、ＣＰＵ、ＲＡＭ、ＲＯＭ、およびＩ／Ｏなどを備えたマイクロコンピュータを用いて構成されている。ＣＰＵがＲＯＭに記憶された所定のプログラムを実行することにより、遊技制御装置21を構成するマイクロコンピュータが、遊技制御手段60、役抽選手段110、入賞判定手段120、停止制御手段130、滑りコマ数抽出手段140、滑りコマ数記憶手段145、フリーズ演出制御手段150などとして機能する。遊技制御装置21の入力手段としては、ベットスイッチ32や、スタートスイッチ33や、ストップスイッチ34や、精算スイッチ35や、リールユニット40の左センサー51、中センサー52および右センサー53などが接続され、遊技制御装置21の出力手段としては、リールユニット40のステッピングモータや、ホッパーユニットなどが接続されている。
【００２５】
また、演出制御装置22は、サブ基板などとも呼ばれるものであって、遊技制御装置21と同様に、ＣＰＵ、ＲＡＭ、ＲＯＭ、およびＩ／Ｏなどを備えたマイクロコンピュータを用いて構成されている。ＣＰＵがＲＯＭに記憶された所定のプログラムを実行することにより、演出制御装置22を構成するマイクロコンピュータが、液晶ディスプレイに表示する画像を制御する画像制御手段や、演出用ランプの点灯・点滅・消灯を制御するランプ制御手段や、スピーカから発する音を制御する音響制御手段、図柄報知手段160などとして機能する。演出制御装置22の入力手段としては、遊技制御装置21が接続され、演出制御装置22の出力手段としては、液晶ディスプレイや、演出用ランプや、スピーカなどが接続されている。
【００２６】
（遊技制御手段60）
遊技制御手段60は、通常遊技制御手段70と、特別遊技制御手段80とを備えている。通常遊技制御手段70は、通常遊技を制御するためのものであり、特別遊技制御手段80は、特別遊技を制御するためのものである。
（通常遊技制御手段70）
通常遊技制御手段70は、通常遊技を制御するためのものである。
以下、スロットマシン10における通常遊技について説明する。
１回の遊技につき、最小で１枚、最大で３枚のメダルのベットが可能である。メダルをベットすると、メダルのベット枚数に応じた本数の入賞ラインが有効になる。また、メダルのベットには、メダル投入口36からメダルを投入することによるベットと、ベットスイッチ32を操作することによるクレジットされているメダルのベットとがある。また、再遊技のときには、前回の遊技でベットした枚数と同数のメダルが自動的にベットされる。また、メダルのベットを条件に、スタートスイッチ33を操作すると、複数の役のいずれかに当選かまたはハズレかの抽選（役抽選）が行われるとともに、３個すべての回転リール45の回転が開始する。その後に、３個のストップスイッチ34のうちの１個を操作すると、当該ストップスイッチ34に対応した回転リール45の回転が停止する。そして、３個すべてのストップスイッチ34の操作を終えると、３個すべての回転リール45の回転が停止する。このとき、いずれかの有効な入賞ライン上に、役抽選で当選した役に対応する図柄の組み合わせが揃うと、当該役に入賞となり、入賞態様に応じた枚数のメダルを獲得できる。また、獲得したメダルは、クレジットされ、クレジット数が上限値に達したときには、ホッパーユニットが駆動して、上限値を超えた分がメダル払出口37から払い出される。また、メダルの獲得に代えて、あるいはメダルの獲得とともに、遊技者に対して所定の利益が付与されることもある。
【００２７】
なお、当選とは、役抽選で当たることを意味し、入賞とは、いずれかの有効な入賞ライン上に所定の図柄の組み合わせが揃うことを意味する。
また、役抽選でいずれかの役に当選すると、その役に対応したフラグが成立し、その役に対応した図柄の組み合わせがいずれかの有効な入賞ライン上に揃い得るようになるとともに、その役以外の役に対応した図柄の組み合わせについてはいずれの有効な入賞ライン上にも揃わないようになる。そして、すべての回転リール45の回転が停止したときに、当選した役に対応する図柄の組み合わせがいずれかの有効な入賞ライン上に揃うと、その役に入賞となり、入賞した役に応じた利益が遊技者に付与される。
【００２８】
例えば、役抽選で小役当選となると、小役フラグが成立して、いずれかの有効な入賞ライン上に「ベル」の図柄の組み合わせが揃い得るようになり、「ベル」の図柄の組み合わせが揃うと、小役入賞となり、所定枚数（例えば１５枚）のメダルが獲得できる。
また、役抽選で再遊技当選となると、再遊技フラグが成立して、いずれかの有効な入賞ライン上に「Ｒｅｐｌａｙ」の図柄の組み合わせが揃い得るようになり、「Ｒｅｐｌａｙ」の図柄の組み合わせが揃うと、再遊技入賞となり、新たにメダルを投入することなく前回の遊技と同じ条件で再度遊技を行える。
また、役抽選でハズレとなると、いずれの有効な入賞ライン上にも、いずれの役に対応した図柄の組み合わせも揃わなくなる。
【００２９】
また、役抽選の結果の如何にかかわらず、いずれの有効な入賞ライン上にも、いずれの役に対応した図柄の組み合わせも揃わないと、入賞なしとなる。
なお、小役フラグおよび再遊技フラグは、成立した遊技で入賞しないとクリアされ、次回以降の遊技に持ち越されることはない。
（特別遊技制御手段80）
特別遊技とは、遊技者にとって通常遊技よりも有利な遊技をいい、特別遊技制御手段80は、特別遊技を制御するためのものである。
特別遊技としては、特定導入遊技（ビッグボーナスゲーム／ＢＢゲーム）と、特定遊技（レギュラーボーナスゲーム／ＲＢゲーム）とがある。ＢＢゲームとは、所定の役の入賞確率が通常遊技よりも高い遊技を複数回実行可能な遊技であって、メダルの最大獲得枚数が所定枚数（例えば３００枚）の遊技をいい、ＲＢゲームとは、ＢＢゲームと同じく、所定の役の入賞確率が通常遊技よりも高い遊技を複数回実行可能な遊技であるものの、メダルの最大獲得枚数がＢＢゲームよりも少ない所定枚数（例えば１００枚）の遊技をいう。
【００３０】
通常遊技において、役抽選の結果が特定導入遊技当選（ビッグボーナス当選／ＢＢ当選）となると、ビッグボーナスフラグ（ＢＢフラグ）が成立して、いずれかの有効な入賞ライン上に、ビッグボーナスに対応する「７」の図柄の組み合わせが揃い得るようになり、「７」の図柄の組み合わせが揃うと、特定導入遊技入賞（ビッグボーナス入賞／ＢＢ入賞）となり、所定枚数（例えば１５枚）のメダルが払い出され、その後、ＢＢゲームへ移行する。
ＢＢゲームへ移行すると、役抽選で所定の役に当選する確率が通常遊技中よりも高くなり、そして、いずれかの有効な入賞ライン上に、当選した役に対応する図柄の組み合わせが揃うと、その役に入賞となり、入賞態様に応じた所定枚数のメダルが払い出される。
【００３１】
そして、ＢＢゲーム中のメダルの獲得枚数が所定枚数（例えば３００枚）に達すると、ＢＢゲームは終了して、通常遊技へ戻る。
また、通常遊技において、役抽選の結果が特定遊技当選（レギュラーボーナス当選／ＲＢ当選）となると、レギュラーボーナスフラグ（ＲＢフラグ）が成立して、いずれかの有効な入賞ライン上に、レギュラーボーナスに対応する「ＢＡＲ」の図柄の組み合わせが揃い得るようになり、「ＢＡＲ」の図柄の組み合わせが揃うと、特定遊技入賞（レギュラーボーナス入賞／ＲＢ入賞）となり、所定枚数（例えば１５枚）のメダルが払い出され、その後、ＲＢゲームへ移行する。
【００３２】
ＲＢゲームへ移行すると、ＢＢゲームと同様の遊技が行われるが、ＢＢゲームとはメダルの最大獲得枚数が異なり、ＲＢゲーム中のメダルの獲得枚数が所定枚数（例えば１００枚）に達すると、ＲＢゲームは終了して、通常遊技へ戻る。
なお、ＢＢフラグおよびＲＢフラグは、成立した遊技で入賞しなかったとしてもクリアされることはなく、次回以降の遊技に入賞するまで持ち越される。
（役抽選手段110）
役抽選手段110は、スタートスイッチ33の操作を契機に、複数の役のいずれかに当選か又はハズレかの抽選（役抽選）を行うためのものである。
【００３３】
役抽選手段110は、乱数発生手段と、乱数抽出手段と、役抽選テーブルと、判定手段とを備えている。
また、乱数発生手段は、役抽選用の乱数を、所定の範囲内（例えば、１０進数で０〜６５５３５）で発生させるためのものである。
また、乱数抽出手段は、乱数発生手段が発生させた乱数を、所定の契機（例えば、スタートスイッチ33の操作）で抽出するためのものである。
なお、乱数発生手段は、カウンタ回路などによって構成されるため、乱数発生手段が発生させる数値は、厳密には乱数ではない。ただ、スタートスイッチ33が操作されるタイミングは、ランダムであると考えられるため、乱数抽出手段が抽出する数値は、実質的には乱数として取り扱うことができる。
【００３４】
また、役抽選テーブルは、乱数発生手段が発生させる範囲内の各乱数について、複数の役のいずれかに当選かまたはハズレかをあらかじめ定めたものである。
また、判定手段は、乱数抽出手段が抽出した乱数と、役抽選テーブルとを照合して、複数の役のいずれかに当選かまたはハズレかの判定を行うためのものである。
そして、役抽選手段110による役抽選で、いずれかの役に当選すると、当選した役に対応するフラグが成立する。そして、このフラグの成立中に、いずれかの有効な入賞ライン上に、役抽選で当選した役に対応する図柄の組み合わせが揃うと、その役に入賞となり、遊技者に対して、メダルの払い出しや、特別遊技等の利益が付与される。
【００３５】
（入賞判定手段120）
入賞判定手段120は、すべての回転リール45の回転が停止した際における入賞ライン上の図柄の組み合わせに基づいて、複数の役のいずれかに入賞か又は入賞なしかの判定を行うためのものである。
具体的には、入賞判定手段120は、３個すべての回転リール45の回転が停止した際に、いずれかの有効な入賞ライン上に、役抽選で当選した役に対応する図柄の組み合わせが揃うと、その役に入賞と判定し、一方、いずれの有効な入賞ライン上にも、いずれの役に対応する図柄の組み合わせも揃わないと、入賞なしと判定する。
【００３６】
（停止制御手段130）
停止制御手段130は、役抽選手段110の抽選結果と、各ストップスイッチ34が操作された際における対応する回転リール45の回転位置とに基づいて、各回転リール45の停止制御を行うものである。
具体的には、停止制御手段130は、左センサー51により左インデックスが検知されてから左側のストップスイッチ34が操作されるまでの間における左側のステッピングモータのステップ数で、左側のストップスイッチ34が操作された際における左リール46の回転位置を特定する。中リール47および右リール48についても同様である。
【００３７】
そして、停止制御手段130は、各ストップスイッチ34が操作された際における対応する回転リール45の回転位置を特定しつつ、役抽選手段110による抽選でいずれかの役に当選した場合には、各ストップスイッチ34の操作から１９０ｍｓ以内という条件下で、当選した役に対応する図柄の組み合わせが、いずれかの有効な入賞ライン上に極力揃うように、かつ、当選した役以外の役に対応する図柄の組み合わせについては、いずれの有効な入賞ライン上にも揃わないように、各回転リール45の回転を停止させる、引き込み制御及び蹴飛ばし制御を行い、一方、役抽選手段110による抽選でハズレの場合には、各ストップスイッチ34の操作から１９０ｍｓ以内という条件下で、いずれの有効な入賞ライン上にも、いずれの役に対応する図柄の組み合わせも揃わないように、各回転リール45の回転を停止させる、蹴飛ばし制御を行う。
【００３８】
（滑りコマ数抽出手段140）
滑りコマ数とは、ストップスイッチ34の操作から対応する回転リール45の回転停止までの間に特定の入賞ラインを通過する図柄の数をいい、滑りコマ数抽出手段140は、滑りコマ数を抽出するためのものである。
上述したように、本実施の形態では、停止制御手段130は、各ストップスイッチ34の操作から１９０ｍｓ以内という条件下で、各回転リール45の回転を停止させるため、各回転リール45の滑りコマ数は、０以上４以下の範囲内となっている。
また、本実施の形態では、役抽選手段110による抽選で何れかの役に当選すると、後述する図柄報知手段160により、当選した役に対応する図柄の報知が行われるとともに、滑りコマ数抽出手段140により、各回転リール45の滑りコマ数がそれぞれ抽出される。つまり、本実施の形態では、図柄報知手段160による報知が行われたときに、滑りコマ数抽出手段140による滑りコマ数の抽出が行われる。
【００３９】
また、本実施の形態では、滑りコマ数抽出手段140は、ストップスイッチ34の操作から対応する回転リール45の回転停止までの間における対応するステッピングモータのステップ数をカウントするためのステップ数カウント手段と、このステップ数カウント手段によりカウントされたステップ数を滑りコマ数に換算するための滑りコマ数換算手段とを備えている。
また、ステップ数カウント手段は、左リール46については、左側のストップスイッチ34の操作を契機に、カウント動作を開始し、左側のステッピングモータの１回の励磁（１ステップ）毎に、カウント値を１ずつ加算していき、左リール46の回転停止を契機に、カウント動作を終了する。中リール47および右リール48についても同様である。
【００４０】
また、上述したように、本実施の形態では、各回転リール45は、２４回の励磁（２４ステップ）で、図柄１個分回転するようになっており、滑りコマ数換算手段は、ステップ数カウント手段によりカウントされた各回転リール45のステップ数を、図柄１個分のステップ数である「２４」でそれぞれ除することにより、各回転リール45の滑りコマ数をそれぞれ算出する。
なお、滑りコマ数抽出手段140は、ステッピングモータのステップ数から直接的に滑りコマ数を判断するようにしてもよい。例えば、４８ステップカウントしたので、２コマ滑りと判断するように、滑りコマ数抽出手段140を形成してもよい。
【００４１】
（滑りコマ数記憶手段145）
滑りコマ数記憶手段145は、滑りコマ数抽出手段140が抽出した各回転リール45の滑りコマ数を記憶するためのものである。
本実施の形態では、滑りコマ数記憶手段145は、各回転リール45の滑りコマ数の記憶を、２回の遊技にわたって保持する。
（フリーズ演出制御手段150）
フリーズ演出とは、遊技の進行に係るいずれかの操作を契機に、その次に行われる操作を一定時間無効にする演出をいい、フリーズ演出制御手段150は、フリーズ演出を制御するためのものであって、滑りコマ数抽出手段140が抽出した滑りコマ数に基づいて、操作を無効にする時間（フリーズ時間）を決定するものである。
【００４２】
本実施の形態では、フリーズ演出制御手段150は、フリーズ時間テーブル151と、フリーズ時間決定手段152とを備えている。
（フリーズ時間テーブル151）
フリーズ時間テーブル151は、操作を無効にする時間（フリーズ時間）を、滑りコマ数に応じてあらかじめ定めたものである。
図３に示すように、本実施の形態では、フリーズ時間テーブル151は、滑りコマ数抽出手段140により抽出された各回転リール45の滑りコマ数の合計が「０〜４」のときにはフリーズ時間を「０秒」とし、同「５〜８」のときにはフリーズ時間を「１秒」とし、同「９〜１２」のときにはフリーズ時間を「２秒」とするように定めており、滑りコマ数が大きくなるに従って操作を無効にする時間（フリーズ時間）が長くなるようにしている。
【００４３】
なお、上述したように、本実施の形態では、各回転リール45の滑りコマ数は、「０〜４」の範囲内となっていることから、各回転リール45の滑りコマ数の合計は、「０〜１２」の範囲内となる。
（フリーズ時間決定手段152）
フリーズ時間決定手段152は、滑りコマ数抽出手段140により抽出された滑りコマ数とフリーズ時間テーブル151とを照合して、操作を無効にする時間（フリーズ時間）を決定するためのものである。
本実施の形態では、フリーズ時間決定手段152は、スタートスイッチ33の操作を契機に、前回の遊技で滑りコマ数抽出手段140により抽出されて滑りコマ数記憶手段145に記憶された各回転リール45の滑りコマ数の合計と、フリーズ時間テーブル151との照合を行い、各回転リール45の滑りコマ数の合計が「０〜４」の範囲内であればフリーズ時間を「０秒」と決定し、同「５〜８」の範囲内であればフリーズ演出を「１秒」と決定し、同「９〜１２」の範囲内であればフリーズ演出を「２秒」と決定する。
【００４４】
そして、フリーズ演出制御手段150は、フリーズ時間決定手段152の決定に従って、フリーズ演出を実行する。
具体的には、フリーズ演出制御手段150は、フリーズ時間決定手段152がフリーズ時間を「１秒」または「２秒」と決定すると、その直後に、ストップスイッチ34の操作を受け付けないことにより無効にするという態様のフリーズ演出を開始し、フリーズ時間決定手段152が決定したフリーズ時間が経過すると、ストップスイッチ34の操作を受け付けるようにしてフリーズ演出を終了する。
また、フリーズ演出制御手段150は、フリーズ時間決定手段152がフリーズ時間を「０秒」と決定したときには、フリーズ演出を実行しない。
【００４５】
（図柄報知手段160）
図柄報知手段160は、役抽選手段110による抽選で当選した役に対応する図柄を報知するためのものである。
本実施の形態では、図柄報知手段160は、役抽選手段110による抽選で何れかの役に当選すると、液晶ディスプレイや演出用ランプやスピーカなどの出力手段を用いて、遊技者に対して、当選した役に対応する図柄の報知を行う。
この図柄報知手段160によって、役抽選手段110による抽選で当選した役に対応する図柄の報知が行われることにより、遊技者は、入賞ライン上に停止させるべき図柄を認識することができ、ひいては各回転リール45の滑りコマ数を意識的に大きくしたり小さくしたりすることが可能となる。
【００４６】
（スロットマシン10の動作）
以下、図４に示すフローチャートに基づいて、本実施の形態に係るスロットマシン10の動作の概略を説明する。
ステップ１０１において、遊技制御手段60により、スタートスイッチ33が操作されたか否かの判断が行われる。ここで、操作されたと判断されると、次のステップ１０２に進む。一方、操作されていないと判断されると、再度ステップ１０１となる。
ステップ１０２において、役抽選手段110により、役抽選が行われる。そして、次のステップ１０３に進む。
【００４７】
ステップ１０３において、図柄報知手段160により、今回の遊技で役抽選手段110による抽選で何れかの役に当選したか否かの判断が行われる。ここで、今回の遊技で何れかの役に当選したと判断されると、次のステップ１０４に進む。一方、今回の遊技では何れの役にも当選していないと判断されると、ステップ１０４をスキップして、ステップ１０５に進む。
ステップ１０４において、図柄報知手段160により、役抽選手段110による抽選で当選した役に対応する図柄の報知が行われる。そして、次のステップ１０５に進む。
ステップ１０５において、フリーズ時間決定手段152により、前回の遊技で役抽選手段110による抽選で何れかの役に当選したか否かの判断が行われる。ここで、前回の遊技で何れかの役に当選したと判断されると、次のステップ１０６に進む。一方、前回の遊技では何れの役にも当選していないと判断されると、ステップ１０６からステップ１１１をスキップして、ステップ１１２に進む。
【００４８】
ステップ１０６において、フリーズ時間決定手段152により、前回の遊技で滑りコマ数抽出手段140により抽出されて滑りコマ数記憶手段145に記憶された各回転リール45の滑りコマ数の参照が行われる。そして、次のステップ１０７に進む。
ステップ１０７において、フリーズ時間決定手段152により、各回転リール45の滑りコマ数の合計とフリーズ時間テーブル151との照合が行われる。そして、次のステップ１０８に進む。
ステップ１０８において、フリーズ演出制御手段150により、フリーズ演出を実行するか否かの判断が行われる。ここで、フリーズ時間決定手段152により、フリーズ時間が「１秒」または「２秒」と決定されたときには、フリーズ演出制御手段150は、フリーズ演出を実行すると判断する。そうすると、次のステップ１０９に進む。一方、フリーズ時間決定手段152により、フリーズ時間が「０秒」と決定されたときには、フリーズ演出制御手段150は、フリーズ演出を実行しないと判断する。そうすると、ステップ１０９からステップ１１１をスキップして、ステップ１１２に進む。
【００４９】
ステップ１０９において、フリーズ演出制御手段150により、フリーズ演出が開始される。具体的には、ストップスイッチ34が操作されても、これを受け付けないことにより無効にするという態様のフリーズ演出が開始される。そして、次のステップ１１０に進む。
ステップ１１０において、フリーズ演出制御手段150により、フリーズ時間決定手段152が決定したフリーズ時間が経過したか否かの判断が行われる。ここで、フリーズ時間が経過したと判断されると、次のステップ１１１に進む。一方、フリーズ時間が経過していないと判断されると、再度ステップ１１０となる。
ステップ１１１において、フリーズ演出制御手段150により、フリーズ演出が終了する。具体的には、ストップスイッチ34の操作を受け付けるようにしてフリーズ演出を終了する。そして、次のステップ１１２に進む。
【００５０】
ステップ１１２において、遊技制御手段60により、各回転リール45の回転が開始される。そして、次のステップ１１３に進む。
ステップ１１３において、遊技制御手段60により、ストップスイッチ34が操作されたか否かの判断が行われる。ここで、ストップスイッチ34が操作されたと判断されると、次のステップ１１４に進む。一方、ストップスイッチ34が操作されていないと判断されると、再度ステップ１１３となる。
ステップ１１４において、停止制御手段130により、操作されたストップスイッチ34に対応する回転リール45の回転の停止制御が行われる。そして、次のステップ１１５に進む。
【００５１】
ステップ１１５において、滑りコマ数抽出手段140により、今回の遊技で役抽選手段110による抽選で何れかの役に当選したか否かの判断が行われる。ここで、今回の遊技で何れかの役に当選したと判断されると、次のステップ１１６に進む。一方、今回の遊技では何れの役にも当選していないと判断されると、ステップ１１６をスキップして、ステップ１１７に進む。
ステップ１１６において、滑りコマ数抽出手段140により、回転停止した回転リール45の滑りコマ数が抽出されて滑りコマ数記憶手段145に記憶される。そして、次のステップ１１７に進む。
【００５２】
ステップ１１７において、遊技制御手段60により、３個すべての回転リール45の回転が停止したか否かの判断が行われる。ここで、３個すべての回転リール45の回転が停止したと判断されると、次のステップ１１８に進む。一方、まだ回転中の回転リール45があると判断されると、ステップ１１３に戻る。
ステップ１１８において、入賞判定手段120により、いずれかの役に入賞したか否かの判断が行われる。ここで、いずれかの役に入賞したと判断されると、次のステップ１１９に進む。一方、いずれの役にも入賞していないと判断されると、つまり、入賞なしと判断されると、ステップ１１９をスキップして、１回の遊技に係る処理は終了する。
【００５３】
ステップ１１９において、遊技制御手段60により、入賞した役に対応する枚数のメダルの払い出しが行われる。そして、１回の遊技に係る処理は終了する。
以上説明したように、本実施の形態では、各回転リール45の滑りコマ数を抽出するための滑りコマ数抽出手段140と、スタートスイッチ33の操作を契機にストップスイッチ34の操作を一定時間無効にするという態様のフリーズ演出を制御するためのものであって滑りコマ数抽出手段140が抽出した各回転リール45の滑りコマ数に基づいて操作を無効にする時間（フリーズ時間）を決定するフリーズ演出制御手段150とを備えている。
また、本実施の形態では、フリーズ演出制御手段150は、各回転リール45の滑りコマ数の合計に応じてフリーズ時間をあらかじめ定めたフリーズ時間テーブル151と、前回の遊技で滑りコマ数抽出手段140により抽出された各回転リール45の滑りコマ数の合計とフリーズ時間テーブル151とを照合して今回の遊技でのフリーズ時間を決定するためのフリーズ時間決定手段152とを備えている。
【００５４】
このため、本実施の形態では、前回の遊技での各回転リール45の滑りコマ数に応じて、今回の遊技でスタートスイッチ33の操作からストップスイッチ34の操作が有効になるまでの時間が変化する。したがって、フリーズ演出が単調にならない。
また、本実施の形態では、役抽選手段110による抽選で当選した役に対応する図柄を報知するための図柄報知手段160を備えている。
このため、遊技者は、入賞ライン上に停止させるべき図柄を認識することができ、ひいては各回転リール45の滑りコマ数を意識的に大きくしたり小さくしたりすることが可能となる。
【００５５】
さらに、本実施の形態では、フリーズ時間テーブル151は、各回転リール45の滑りコマ数の合計が大きくなるに従って、フリーズ時間が長くなるように、これらの関係を定めている。
このため、遊技者は、フリーズ時間を長くしてフリーズ演出を楽しみたければ、各回転リール45の滑りコマ数が大きくなるようなタイミングで、対応するストップスイッチ34を操作すればよく、一方、フリーズ時間を短くして単位時間あたりの遊技回数を多くしたければ、各回転リール45の滑りコマ数が小さくなるようなタイミングで、対応するストップスイッチ34を操作すればよく、遊技者自身の技量や好みに応じてフリーズ時間を変化させることができる。
【００５６】
（第２の実施の形態）
本発明の第２の実施の形態を、図５〜図６に基づいて説明する。
第２の実施の形態は、役抽選手段110による抽選で特定の役に当選すると、その遊技で、滑りコマ数抽出手段140により各回転リール45の滑りコマ数が抽出され、その次の遊技で、この抽出された滑りコマ数に基づいて、フリーズ演出制御手段150によりフリーズ時間が決定されてフリーズ演出が実行されるものである。
このため、第２の実施の形態は、第１の実施の形態とは、役抽選手段110、滑りコマ数抽出手段140、フリーズ演出制御手段150、および図柄報知手段160が異なり、これに伴って、フリーズ演出に係る動作が異なるものであり、それ以外は、第１の実施の形態と同様である。
【００５７】
（役抽選手段110）
本実施の形態では、役抽選手段110の抽選結果として、ボーナスフラグと特定小役フラグとが同時に成立する「ボーナス＋特定小役当選」を設けている。つまり、役抽選手段110による抽選で「ボーナス＋特定小役当選」となると、ボーナスフラグと特定小役フラグとが同時に成立する。また、特定小役は、対応する図柄が、各回転リール45の周囲に、４コマ以内の間隔で付されているものである。また、各回転リール45の滑りコマ数は、「０〜４」の範囲内となっていることから、特定小役フラグが成立すると、対応する図柄を、いずれかの入賞ライン上に必ず引き込むことができる。また、ボーナスに対応する図柄および特定小役に対応する図柄の双方とも、いずれかの入賞ライン上に引き込み可能な場合には、特定小役に対応する図柄の方を優先的に入賞ライン上に引き込み、ボーナスが入賞しないようにしている。このため、役抽選手段110による抽選で「ボーナス＋特定小役当選」となり、ボーナスフラグと特定小役フラグとが同時に成立すると、ボーナスに対応する図柄よりも、特定小役に対応する図柄の方が、入賞ライン上に優先して引き込まれる。なお、特定小役フラグは、成立した遊技で入賞しないとクリアされ、次回以降の遊技には持ち越されないが、ボーナスフラグは、成立した遊技で入賞しなくてもクリアされることはなく、次回以降の遊技に入賞するまで持ち越される。そして、本実施の形態では、ボーナスフラグと特定小役フラグとが同時に成立する「ボーナス＋特定小役当選」を、「特定の役」としている。
【００５８】
（滑りコマ数抽出手段140）
本実施の形態では、役抽選手段110による抽選で特定の役に当選すると、その遊技で、図柄報知手段160により、特定の役に対応する図柄の報知が行われるとともに、滑りコマ数抽出手段140により、各回転リール45の滑りコマ数がそれぞれ抽出される。つまり、本実施の形態でも、図柄報知手段160による報知が行われたときに、滑りコマ数抽出手段140による滑りコマ数の抽出が行われる。
（フリーズ演出制御手段150）
フリーズ演出制御手段150がフリーズ時間テーブル151とフリーズ時間決定手段152とを備えることは、第１の実施の形態と同様である。
【００５９】
（フリーズ時間テーブル151）
図５に示すように、本実施の形態では、フリーズ時間テーブル151は、滑りコマ数抽出手段140により抽出された各回転リール45の滑りコマ数の合計が「０〜４」のときにはフリーズ時間を「０秒」とし、同「５〜８」のときにはフリーズ時間を「３０秒」とし、同「９〜１２」のときにはフリーズ時間を「６０秒」とするように定めており、滑りコマ数が大きくなるに従って操作を無効にする時間（フリーズ時間）が長くなるようにしている。
（フリーズ時間決定手段152）
本実施の形態では、フリーズ時間決定手段152は、役抽選手段110の抽選で特定の役に当選した次の遊技で、スタートスイッチ33の操作を契機に、前回の遊技（役抽選手段110の抽選で特定の役に当選した遊技）で滑りコマ数抽出手段140により抽出されて滑りコマ数記憶手段145に記憶された各回転リール45の滑りコマ数の合計と、フリーズ時間テーブル151との照合を行い、各回転リール45の滑りコマ数の合計が「０〜４」の範囲内であればフリーズ時間を「０秒」と決定し、同「５〜８」の範囲内であればフリーズ演出を「３０秒」と決定し、同「９〜１２」の範囲内であればフリーズ演出を「６０秒」と決定する。
【００６０】
そして、フリーズ演出制御手段150は、フリーズ時間決定手段152の決定に従って、フリーズ演出を実行する。
具体的には、フリーズ演出制御手段150は、フリーズ時間決定手段152がフリーズ時間を「３０秒」または「６０秒」と決定すると、その直後に、ストップスイッチ34の操作を受け付けないことにより無効にするという態様のフリーズ演出を開始し、フリーズ時間決定手段152が決定したフリーズ時間が経過すると、ストップスイッチ34の操作を受け付けるようにしてフリーズ演出を終了する。
また、フリーズ演出制御手段150は、フリーズ時間決定手段152がフリーズ時間を「０秒」と決定したときには、フリーズ演出を実行しない。
【００６１】
（スロットマシン10の動作）
以下、図６に示すフローチャートに基づいて、本実施の形態に係るスロットマシン10の動作の概略を説明する。
ステップ２０１からステップ２０２については、第１の実施の形態における、ステップ１０１からステップ１０２と同様である。
ステップ２０３において、図柄報知手段160により、今回の遊技で役抽選手段110による抽選で特定の役に当選したか否かの判断が行われる。ここで、今回の遊技で特定の役に当選したと判断されると、次のステップ２０４に進む。一方、今回の遊技では特定の役に当選していないと判断されると、ステップ２０４をスキップして、ステップ２０５に進む。
【００６２】
ステップ２０４において、図柄報知手段160により、特定の役に対応する図柄の報知が行われる。そして、次のステップ２０５に進む。
ステップ２０５において、フリーズ時間決定手段152により、前回の遊技で役抽選手段110による抽選で特定の役に当選したか否かの判断が行われる。ここで、前回の遊技で特定の役に当選したと判断されると、次のステップ２０６に進む。一方、前回の遊技では特定の役に当選していないと判断されると、ステップ２０６からステップ２１１をスキップして、ステップ２１２に進む。
ステップ２０６からステップ２１４については、第１の実施の形態における、ステップ１０６からステップ１１４と同様である。
【００６３】
ステップ２１５において、滑りコマ数抽出手段140により、今回の遊技で役抽選手段110による抽選で特定の役に当選したか否かの判断が行われる。具体的には、特定の役に対応する当選フラグが成立しているか否か、つまり、ボーナスフラグと特定小役フラグとが同時に（重複して）成立しているか否かの判断が行われる。ここで、今回の遊技で特定の役に当選したと判断されると、つまり、ボーナスフラグと特定小役フラグとが重複して成立していると判断されると、次のステップ２１６に進む。一方、今回の遊技では特定の役に当選していないと判断されると、つまり、ボーナスフラグと特定小役フラグとが重複しては成立していないと判断されると、ステップ２１６をスキップして、ステップ２１７に進む。
【００６４】
ステップ２１６からステップ２１９については、第１の実施の形態における、ステップ１１６からステップ１１９と同様である。
第２の実施の形態は、前回の遊技での各回転リール45の滑りコマ数に応じて、今回の遊技でスタートスイッチ33の操作からストップスイッチ34の操作が有効になるまでの時間が変化するという点では、第１の実施の形態と同様であるが、このようなフリーズ演出が行われるのが、役抽選手段110による抽選で特定の役に当選した次の遊技であるという点で、第１の実施の形態とは異なる。加えて、第２の実施の形態では、ボーナス当選を引き当てても、その遊技では、ボーナス入賞を引き当てることはできない。つまり、第２の実施の形態では、ボーナスフラグが成立した遊技では、ボーナス入賞を引き当てることができず、これにより、ボーナスフラグは必ず次回以降の遊技に持ち越されるようになっている。そして、第２の実施の形態は、フリーズ演出が実行されるのは、ボーナスフラグが成立している遊技なので、ボーナス入賞を１秒でも早く引き当てたい場合には、特定の役に当選した遊技において、各回転リール45の滑りコマ数が小さくなるようなタイミングで、対応するストップスイッチ34を操作すればよく、一方、フリーズ演出を楽しみたい場合には、各回転リール45の滑りコマ数が大きくなるようなタイミングで、対応するストップスイッチ34を操作すればよいので、いわゆる目押しの技量が高い遊技者であれば、ストレスを感じることなく遊技をすることができる。
【００６５】
（他の実施の形態）
なお、上記各実施の形態では、滑りコマ数が大きくなるに従って操作を無効にする時間（フリーズ時間）が長くなるように、フリーズ時間テーブル151を定めたが、これとは逆に、滑りコマ数が大きくなるに従って操作を無効にする時間（フリーズ時間）が短くなるように、フリーズ時間テーブル151を定めることができる。
具体的には、例えば、図７に示すように、滑りコマ数抽出手段140により抽出された各回転リール45の滑りコマ数の合計が「０〜４」のときにはフリーズ時間を「２秒」とし、同「５〜８」のときにはフリーズ時間を「１秒」とし、同「９〜１２」のときにはフリーズ時間を「０秒」とするように、フリーズ時間テーブル151を定めることができる。
【００６６】
そうすると、遊技者は、フリーズ時間を長くしてフリーズ演出を楽しみたければ、各回転リール45の滑りコマ数が小さくなるようなタイミングで、対応するストップスイッチ34を操作すればよく、一方、フリーズ時間を短くして単位時間あたりの遊技回数を多くしたければ、各回転リール45の滑りコマ数が大きくなるようなタイミングで、対応するストップスイッチ34を操作すればよく、上記各実施の形態とは異なる遊技感覚を遊技者に与えることができる。
さらに、例えば、滑りコマ数が大きくなるに従って操作を無効にする時間（フリーズ時間）が長くなるように定めた第１フリーズ時間テーブルと、滑りコマ数が大きくなるに従って操作を無効にする時間（フリーズ時間）が短くなるように定めた第２フリーズ時間テーブルと、第１フリーズ時間テーブルまたは第２フリーズ時間テーブルのいずれかを所定の条件に基づいて選択するためのテーブル選択手段とを備えることができる。
【００６７】
そうすると、各回転リール45の滑りコマ数が同一でも、所定の条件に基づいて、フリーズ時間が長くなったり短くなったりするので、より一層遊技が単調にならないようにすることができる。
また、例えば、フリーズ演出中に液晶ディスプレイや演出用ランプやスピーカなどの出力手段を用いて特定の演出を行うための特定演出制御手段を備えることができる。また、特定の演出として、例えば、当該スロットマシンの設定値を示唆する演出など、遊技に関する情報を報知する演出を行うように、特定演出制御手段を形成することができる。
そうすると、特定演出制御手段による特定の演出の長さがフリーズ演出におけるフリーズ時間に応じて変化するので、遊技者自身の技量に応じて特定の演出の長さを変化させることができ、遊技に関する情報を見るか否かを選択できる。
【００６８】
また、上記各実施の形態では、滑りコマ数抽出手段140は、ストップスイッチ34の操作から対応する回転リール45の回転停止までの間における対応するステッピングモータのステップ数をカウントし、このカウントしたステップ数を滑りコマ数に換算するようにしたが、例えば、各ストップスイッチ34が操作されたときの対応する回転リール45の回転位置に応じて各回転リール45の滑りコマ数をあらかじめ定めた停止テーブルを複数備え、停止制御手段130は、役抽選手段110の抽選結果等に基づいて、複数の中から一の停止テーブルを選択し、選択した停止テーブルと、各ストップスイッチ34が操作されたときの対応する回転リール45の回転位置とに基づいて、各回転リール45の滑りコマ数を決定し、決定した滑りコマ数の分だけ回転リール45を回転させ、そこで回転リール45の回転を停止させる場合にあっては、滑りコマ数抽出手段140は、停止制御手段により選択された停止テーブルと、各ストップスイッチ34が操作されたときの対応する回転リール45の回転位置とから、滑りコマ数を抽出するように形成することができる。また、上述したように、停止制御手段は、選択した停止テーブルと、各ストップスイッチ34が操作されたときの対応する回転リール45の回転位置とに基づいて、各回転リール45の滑りコマ数を決定するのであるが、滑りコマ数抽出手段140は、停止制御手段が決定した滑りコマ数を直接受け取るようにして、滑りコマ数を抽出するようにしてもよい。
【００６９】
また、上記各実施の形態では、滑りコマ数抽出手段140は、各回転リール45の滑りコマ数をそれぞれ抽出するようにしたが、複数の回転リール45のうち、左リール46や中リール47や右リール48など、特定の回転リール45の滑りコマ数のみを抽出するようにしてもよく、また、対応するストップスイッチ34が最初に操作された回転リール45（最初に停止操作が行われた回転リール45）の滑りコマ数のみを抽出するようにしてもよく、また、対応するストップスイッチ34が最後に操作された回転リール45（最後に停止操作が行われた回転リール45）の滑りコマ数のみを抽出するようにしてもよい。
そして、フリーズ演出制御手段150についても、各回転リール45の滑りコマ数の合計に基づいて、フリーズ時間を決定してフリーズ演出を実行するものに限られず、滑りコマ数抽出手段45がいずれか１個の回転リール45の滑りコマ数のみを抽出する場合にあっては、その１個の回転リール45の滑りコマ数に基づいて、フリーズ時間を決定してフリーズ演出を実行するようにすることができる。
【００７０】
また、上記各実施の形態では、フリーズ演出制御手段150は、スタートスイッチ33の操作を契機に、ストップスイッチ34の操作を一定時間無効にするという態様のフリーズ演出を実行するとしたが、これに限られるものではなく、例えば、遊技媒体の投入操作を契機に、スタートスイッチ33の操作を一定時間無効にするという態様のフリーズ演出を実行するようにしてもよく、また、ストップスイッチ34の操作を契機に、遊技媒体の投入操作を一定時間無効にするという態様のフリーズ演出を実行するようにしてもよい。さらに、例えば、最後に停止操作が行われたものを除く所定の回転リール45の滑りコマ数を抽出し、この抽出した滑りコマ数に基づいて、この抽出が行われた以降の停止操作に係るストップスイッチ34の操作を一定時間無効にするという態様のフリーズ演出を実行するようにしてもよい。具体的には、例えば、最初に停止操作が行われた回転リール45の滑りコマ数を抽出し、この抽出した滑りコマ数に基づいて、最後の停止操作に係るストップスイッチ34の操作を一定時間無効にするという態様のフリーズ演出を実行するものとし、一回の遊技の中で滑りコマ数の抽出からフリーズ演出の実行まで行うように、フリーズ演出制御手段150を形成することができる。
【００７１】
また、スタートスイッチ33の操作を契機に、ストップスイッチ34の操作を一定時間無効にするという態様のフリーズ演出を実行する場合にあっては、あらかじめ定めた時間が経過した後に、フリーズ演出を実行するようにしてもよい。具体的には、スロットマシンでは、単位時間に実行できる遊技回数が法律あるいは規則で定められているために、前回の遊技の開始から４．１秒のいわゆるウエイト時間が経過するまでは、スロットマシンに対する操作を無効とするようになっているが、このウエイト時間とフリーズ演出とを区別し、ウエイト時間が経過した後に、フリーズ演出を実行するように、フリーズ演出制御手段150を形成することができる。
【００７２】
また、上記各実施の形態では、フリーズ演出制御手段150は、フリーズ演出中にストップスイッチ34が操作されても、これを受け付けず、フリーズ演出終了後に再度ストップスイッチ34が操作されると、これを受け付けて、対応する回転リール45の回転を停止させるようにしたが、これに限られるものではなく、例えば、フリーズ演出中にストップスイッチ34が操作されると、これを受け付けるものの、対応する回転リール45の回転は停止させず、フリーズ演出終了後に、再度のストップスイッチ34の操作を要することなく、対応する回転リール45の回転を停止させるようにしてもよい。
また、例えば、フリーズ演出を実行するか否かの抽選を行うための演出抽選手段を備え、この演出抽選手段による抽選でフリーズ演出を実行すると決定したときにのみ、前回の遊技で抽出した滑りコマ数に基づいてフリーズ演出の長さを決定し、この決定した長さのフリーズ演出を実行するように、フリーズ演出制御手段150を形成することができる。
【符号の説明】
【００７３】
33  スタートスイッチ                   34  ストップスイッチ
45  回転リール                        110  役抽選手段
120  入賞判定手段                      130  停止制御手段
140  滑りコマ数抽出手段                145  滑りコマ数記憶手段
150  フリーズ演出制御手段              151  フリーズ時間テーブル
152  フリーズ時間決定手段              160  図柄報知手段
【図１】
2010253086.tif 000003
【図２】
2010253086.tif 000004
【図３】
2010253086.tif 000005
【図４】
2010253086.tif 000006
【図５】
2010253086.tif 000007
【図６】
2010253086.tif 000008
【図７】
2010253086.tif 000009